(57)【特許請求の範囲】
【請求項１】
食器類を収納する洗浄槽と、この洗浄槽に給気口を通じて外気を供給する給気手段と、この給気手段によって供給された外気を機外へ排気する排気口とを備え、前記給気口は、前記給気手段に一体に設けるとともに、その外周で前記洗浄槽に槽内から固定し、前記給気口に、前記給気口の内径よりも外径を小さく形成し、前記給気手段より給気された外気を食器類へ案内する略Ｖ字状で谷部に開口部を有する風向案内板を固定して前記給気手段と一体化した食器洗い機。
【請求項２】
風向案内板は、略左右の案内角度を洗浄槽内の食器類の配置に対応して設定するようにした請求項１記載の食器洗い機。
【請求項３】
風向案内板は、給気口を横断するように設けた支持部に爪嵌合により固定した請求項１または２記載の食器洗い機。
【発明の詳細な説明】
【０００１】
【発明の属する技術分野】
本発明は、洗浄槽外から外気を取り込み、洗浄槽内で循環させて食器かごに収納した食器類を乾燥する食器洗い機に関するものである。
【０００２】
【従来の技術】
近年、洗浄槽外から外気を取り込み、ヒータで温め、洗浄槽内で循環させることによって食器かごに収納した食器類を乾燥する食器洗い機が主流となっている。
【０００３】
従来、この種の食器洗い機は、図７および図８に示すように構成していた。以下、その構成について説明する。
【０００４】
図７および図８に示すように、洗浄槽１は食器類２を収納するもので、この洗浄槽１に洗浄ノズル３を回転自在に支持し、洗浄ポンプ４にて送り込まれた洗浄水を食器類２に向けて噴出する。洗浄槽１の底部にはヒータ５が配設され、洗浄、すすぎ行程において洗浄ノズル３から噴出される洗浄水を加熱し、食器類２の洗浄およびすすぎを行う。
【０００５】
洗浄、すすぎ行程が終了すると、排水ポンプ６によって洗浄槽１内の洗浄水が機外へ排水され、乾燥行程に進む。乾燥行程中は洗浄槽１外に配設した給気手段７を作動し、洗浄槽１と連通した給気口８より外気が矢印Ａのように供給される。供給された外気はヒータ５によって加熱されながら食器類２に当たり、洗浄、すすぎ行程中に食器類２に付着した水滴を気化し、乾燥させる。また、洗浄槽１の天面には排気口９を配設しており、給気口８からの供給によって洗浄槽１内の水分を含んだ気体が機外へ押し出され、排気を行う。
【０００６】
【発明が解決しようとする課題】
このような従来の食器洗い機においては、乾燥行程の際、洗浄槽１に供給される外気は、一方向に供給されるため、洗浄槽１内に収納された食器類２の特定箇所に集中して外気が当たり、食器類２の乾燥にばらつきが出てしまう。これにより、洗浄槽１内の食器類２すべてを乾燥させるために乾燥時間が非常に長くなるという問題を有していた。
【０００７】
また、外気の供給に偏りがある状態で、ヒータ５にて食器類２の温度を上げると、外気が当たっていない箇所の食器類２の温度が急激に上昇するため、食器類２を傷める恐れがあった。
【０００８】
本発明は上記課題を解決するもので、洗浄槽内に供給される外気を分散させて食器類に当て、乾燥効率を向上し乾燥時間を短縮させるとともに、必要以上に食器温度が高くなる箇所をなくし、熱による食器類の損傷を防ぐことを目的としている。
【０００９】
【課題を解決するための手段】
本発明は上記目的を達成するために、食器類を収納する洗浄槽に給気口を通じて給気手段により外気を供給し、この給気手段によって供給された外気を排気口より機外へ排気するよう構成し、給気口は、給気手段に一体に設けるとともに、その外周で洗浄槽に槽内から固定し、給気口に、給気口の内径よりも外径を小さく形成し、給気手段より給気された外気を食器類へ案内する略Ｖ字状で谷部に開口部を有する風向案内板を固定して給気手段と一体化したものである。
【００１０】
これにより、洗浄槽内に供給された外気を複数方向へ分散させることができて、食器類の乾燥のばらつきをなくし、効率よく乾燥させることができ、乾燥時間を短縮することができる。また、必要以上に食器温度が高くなる箇所をなくすことができるため、熱による食器類の損傷を防ぐことができる。また、サービス時のメンテナンス性を向上させることができる。
【００１１】
【発明の実施の形態】
本発明の請求項１に記載の発明は、食器類を収納する洗浄槽と、この洗浄槽に給気口を通じて外気を供給する給気手段と、この給気手段によって供給された外気を機外へ排気する排気口とを備え、前記給気口は、前記給気手段に一体に設けるとともに、その外周で前記洗浄槽に槽内から固定し、前記給気口に、前記給気口の内径よりも外径を小さく形成し、前記給気手段より給気された外気を食器類へ案内する略Ｖ字状で谷部に開口部を有する風向案内板を固定して前記給気手段と一体化したものであり、風向案内板により洗浄槽内に供給された外気を複数方向へ分散させることができて、食器類の乾燥のばらつきをなくし、効率よく乾燥させることができ、乾燥時間を短縮することができる。また、必要以上に食器温度が高くなる箇所をなくすことができるため、熱による食器類の損傷を防ぐことができる。また、サービス交換時に給気手段を取り外す際、風向案内板を給気口に固定した状態でも取り外すことができ、サービス時のメンテナンス性を向上させることができる。
【００１２】
請求項２に記載の発明は、上記請求項１に記載の発明において、風向案内板は、略左右の案内角度を洗浄槽内の食器類の配置に対応して設定するようにしたものであり、分散する外気の方向をそれぞれ変えて、給気口から離れた箇所の食器類にも外気を効率よく当てることができ、食器類の乾燥のばらつきをなくし、効率よく乾燥させて乾燥時間を短縮することができるとともに、必要以上に食器温度が高くなる箇所をなくし、熱による食器類の損傷を防ぐことができる。
【００１３】
請求項３に記載の発明は、上記請求項１または２に記載の発明において、風向案内板は、給気口を横断するように設けた支持部に爪嵌合により固定したものであり、風向案内板の構成を簡略化し、部品数を減らすことができ、廉価な食器洗い機を提供することができる。
【００１４】
【実施例】
以下、本発明の一実施例について、図面を参照しながら説明する。なお、従来例と同じ構成のものは同一符号を付して説明を省略する。
【００１５】
図２に示すように、洗浄槽１の外部に給気口１０を有する給気手段７を配設し、洗浄槽１と連通した状態で、給気口１０の外周と洗浄槽１とをナット１１にて固定している。また、給気口１０は、図３に示すように、開口部を横断するように支持部１２を有しており、この支持部１２に、図４に示すように、爪部１３を一体に有した略Ｖ字状の風向案内板１４を固定している。
【００１６】
この風向案内板１４は、図５に示すように、正面から見ると略円形を成しており、その外径は風向案内板１４を固定している給気口１０の内径よりも小さく形成し、この略Ｖ字状の谷部に正面方向に外気を供給可能な開口部１５を設けている。また、略Ｖ字状の案内角度は、図６に示すように、洗浄槽１内の食器類２の配置に対応し、角度θ１と角度θ２に設定し、略Ｖ字状の谷部に設けた開口部１５と合わせて、給気口１０より供給された外気を３方向に分散できるように構成している。
【００１７】
上記構成においてその作用を説明すると、洗浄、すすぎ行程が終了し、乾燥行程に進むと、給気手段７によって給気口１０から洗浄槽１内へ外気が供給される。その際、給気口１０に固定された風向案内板１４に外気が当たり、図１に示すように、角度θ１と角度θ２および開口部１５の３方向に分けられる。
【００１８】
開口部１５から供給される外気は矢印Ａのように直線的に供給されるが、角度θ１および角度θ２に沿って供給される外気は、矢印Ｂおよび矢印Ｃのように給気口１０の略左右側に収納された食器類２に対応して供給される。このため、開口部１５から供給される外気では当たりにくい箇所の食器類２の乾燥を効率よく行うことができると同時に、必要以上に食器類２の温度が上がるのを防ぐことができる。
【００１９】
また、風向案内板１４の固定を、給気口１０の開口部を横断するように設けた支持部１２と、風向案内板１４に一体に有した爪部１３の嵌合にて行うため、固定のためにねじ等の別部品を必要とせず、簡単な構成で廉価な食器洗い機を提供することができる。
【００２０】
さらに、風向案内板１４の外周を固定している給気口１０の内径よりも小さくしているため、サービス交換時に給気手段７を取り外す際、風向案内板１４を給気口１０に固定した状態でもナット１１を取り外すことが可能となり、サービス時のメンテナンス性の向上させることができる。
【００２１】
【発明の効果】
以上のように本発明の請求項１に記載の発明によれば、食器類を収納する洗浄槽と、この洗浄槽に給気口を通じて外気を供給する給気手段と、この給気手段によって供給された外気を機外へ排気する排気口とを備え、前記給気口は、前記給気手段に一体に設けるとともに、その外周で前記洗浄槽に槽内から固定し、前記給気口に、前記給気口の内径よりも外径を小さく形成し、前記給気手段より給気された外気を食器類へ案内する略Ｖ字状で谷部に開口部を有する風向案内板を固定して前記給気手段と一体化したから、風向案内板により洗浄槽内に供給された外気を複数方向へ分散させることができて、食器類の乾燥のばらつきをなくし、効率よく乾燥させることができ、乾燥時間を短縮することができる。また、必要以上に食器温度が高くなる箇所をなくすことができるため、熱による食器類の損傷を防ぐことができる。また、サービス交換時に給気手段を取り外す際、風向案内板を給気口に固定した状態でも取り外すことができ、サービス時のメンテナンス性を向上させることができる。
【００２２】
また、請求項２に記載の発明によれば、風向案内板は、略左右の案内角度を洗浄槽内の食器類の配置に対応して設定するようにしたから、分散する外気の方向をそれぞれ変えて、給気口から離れた箇所の食器類に外気を効率よく当てることができ、食器類の乾燥のばらつきをなくし、効率よく乾燥させて乾燥時間を短縮することができるとともに、必要以上に食器温度が高くなる箇所をなくし、熱による食器類の損傷を防ぐことができる。
【００２３】
また、請求項３に記載の発明によれば、風向案内板は、給気口を横断するように設けた支持部に爪嵌合により固定したから、風向案内板の構成を簡略化し、部品数を減らすことができ、廉価な食器洗い機を提供することができる。
【図面の簡単な説明】
【図１】  本発明の一実施例の食器洗い機の要部斜視図
【図２】  同食器洗い機の縦断面図
【図３】  同食器洗い機の給気口の要部拡大斜視図
【図４】  同食器洗い機の要部拡大断面図
【図５】  同食器洗い機の風向案内板の拡大斜視図
【図６】  同食器洗い機の風向案内板の拡大平面図
【図７】  従来の食器洗い機の縦断面図
【図８】  同食器洗い機の要部斜視図
【符号の説明】
１  洗浄槽
２  食器類
７  給気手段
９  排気口
１０  給気口
１４  風向案内板
１５  開口部
【図１】
0004026210.tif 000002
【図２】
0004026210.tif 000003
【図３】
0004026210.tif 000004
【図４】
0004026210.tif 000005
【図５】
0004026210.tif 000006
【図６】
0004026210.tif 000007
【図７】
0004026210.tif 000008
【図８】
0004026210.tif 000009